(57)【特許請求の範囲】
【請求項１】
横長長方形の左側壁の左側に、折線を介して該左側壁より長い前壁を連設すると共に、前記左側壁の右側に、折線を介して前記前壁と同じ長さの後壁と、前記左側壁と同じ長さの右側壁と、貼着片とを順に連設し、前記左側壁と右側壁の下側に、折線を介して該左側壁と右側壁の幅の略２倍の幅の内部底壁を連設する一方、前記前壁と後壁の下側に、折線を介して前記左側壁と右側壁の長さの１／２の幅の外部底壁を連設し、前記前壁と後壁の上側に、折線を介して該前壁と後壁と同大の蓋部を連設すると共に、該蓋部の上側に、中央部に切込みを設けた折線を介して補強片を連設し、更に、前記左側壁の上側に、折線を介して該左側壁の幅の１／２の幅の台座前壁と、前記左側壁と内部底壁の幅を合計した幅の台座底壁と、左右両側に折線を介して差込片を連設した台座後壁とを順に連設し、前記台座底壁の左右両側に、折線を介して底辺を台座底壁側とする三角形状をなし、下側の辺に差込片を形成すると共に上側の辺に、中央部に切込みを設けた折線を介して折曲補強片を連設した台座側壁を連設し、更に、前記右側壁に、中央部における左右両側から該右側壁の幅に相当する位置に、上端側を僅かに残して前記内部底壁側から幅方向の切込みを設け、該切込みの延長線上に切取り線を設けると共に、両切込みの上端部を結ぶ切込みを設け、更に右側壁の左右両側の上側角部から前記切込みの下端にかけて斜めの折線を設け、更に、前記右側壁の上側の左右端部に、折線を介して差込片を連設すると共に、該差込片の上側に、切取り線を介して該差込片間に跨るメッセージ表示片を連設し、該メッセージ表示片の下辺中央部に下辺に交差する平行な二本の切り欠きを設けたことを特徴とする陳列スタンドに変形可能な梱包箱。
【請求項２】
横長長方形の左側壁の左側に、折線を介して該左側壁より長い前壁を連設すると共に、前記左側壁の右側に、折線を介して前記前壁と同じ長さの後壁と、前記左側壁と同じ長さの右側壁と、貼着片とを順に連設し、前記左側壁と右側壁の下側に、折線を介して該左側壁と右側壁の幅の略２倍の幅の内部底壁を連設する一方、前記前壁と後壁の下側に、折線を介して前記左側壁と右側壁の長さの１／２の幅の外部底壁を連設し、前記前壁と後壁の上側に、折線を介して該前壁と後壁と同大の蓋部を連設すると共に、該蓋部の上側に、中央部に切込みを設けた折線を介して補強片を連設し、更に、前記左側壁の上側に、折線を介して該左側壁の幅の１／２の幅の台座前壁と、前記左側壁と内部底壁の幅を合計した幅の台座底壁と、左右両側に折線を介して差込片を連設した台座後壁とを順に連設し、前記台座底壁の左右両側に、折線を介して底辺を台座底壁側とする三角形状をなし、下側の辺に差込片を形成すると共に上側の辺に、中央部に切込みを設けた折線を介して折曲補強片を連設した台座側壁を連設し、更に、前記右側壁に、中央部における左右両側から該右側壁の幅に相当する位置に、全幅に亘る幅方向の切込みを設けると共に、右側壁の左右両側の上側角部から前記切込みの下端にかけて斜めの折線を設け、更に、前記右側壁の上側の左右端部に、折線を介して差込片を連設すると共に、該差込片の下側間に、これらに連なり且つ前記右側壁の上側に連続する幅狭の延長辺部を設け、該延長辺部における前記右側壁の幅方向の切込みの延長線上に切取り線を設け、更に、前記差込片の上側に、切取り線を介して該差込片間に跨るメッセージ表示片を連設し、該メッセージ表示片の下辺中央部に下辺に交差する平行な二本の切り欠きを設けたことを特徴とする陳列スタンドに変形可能な梱包箱。
【発明の詳細な説明】
【技術分野】
【０００１】
本発明は、陳列スタンドに変形可能な梱包箱に関し、更に詳細には、一枚の厚紙を裁断して組み立てるものであって、配送時には組み立てて梱包箱として用いることができると共に、到着後においては受け取った者がこれを内容物の陳列スタンドに変形して使用することができるようになした陳列スタンドに変形可能な梱包箱に係わる。
【背景技術】
【０００２】
パンフレットやチラシ等の広告紙葉類を店頭に陳列するにあたっては、広告紙葉類の作成者が、大量に印刷した広告紙葉類を所定枚数毎に梱包箱に詰めて配送し、そして受け取った者が梱包箱を開封して内容物を取り出し、店頭等に設置された陳列棚等に収容することによって行われるものである。
【０００３】
ところで、斯かる場合には、配送のために使用する梱包箱と、受け取った者が店頭等に設置する陳列棚等とが必要である。よって、これら梱包箱と陳列棚等とを別々に製作しなければならない。したがって、その分コストがかかることとなり、また、使用済みの梱包箱は廃棄することになるから、資源の無駄になる。
【発明の概要】
【発明が解決しようとする課題】
【０００４】
本発明は上記の点に鑑みなされたものであって、配送時には組み立てて梱包箱として用いることができると共に、到着後においては受け取った者がこれを内容物の陳列スタンドに変形して使用することができるようになし、もって上記の問題点を悉く解消することができるようになした陳列スタンドに変形可能な梱包箱を提供しようとするものである。
【課題を解決するための手段】
【０００５】
而して、本発明の要旨とするところは、横長長方形の左側壁の左側に、折線を介して該左側壁より長い前壁を連設すると共に、前記左側壁の右側に、折線を介して前記前壁と同じ長さの後壁と、前記左側壁と同じ長さの右側壁と、貼着片とを順に連設し、前記左側壁と右側壁の下側に、折線を介して該左側壁と右側壁の幅の略２倍の幅の内部底壁を連設する一方、前記前壁と後壁の下側に、折線を介して前記左側壁と右側壁の長さの１／２の幅の外部底壁を連設し、前記前壁と後壁の上側に、折線を介して該前壁と後壁と同大の蓋部を連設すると共に、該蓋部の上側に、中央部に切込みを設けた折線を介して補強片を連設し、更に、前記左側壁の上側に、折線を介して該左側壁の幅の１／２の幅の台座前壁と、前記左側壁と内部底壁の幅を合計した幅の台座底壁と、左右両側に折線を介して差込片を連設した台座後壁とを順に連設し、前記台座底壁の左右両側に、折線を介して底辺を台座底壁側とする三角形状をなし、下側の辺に差込片を形成すると共に上側の辺に、中央部に切込みを設けた折線を介して折曲補強片を連設した台座側壁を連設し、更に、前記右側壁に、中央部における左右両側から該右側壁の幅に相当する位置に、上端側を僅かに残して前記内部底壁側から幅方向の切込みを設け、該切込みの延長線上に切取り線を設けると共に、両切込みの上端部を結ぶ切込みを設け、更に右側壁の左右両側の上側角部から前記切込みの下端にかけて斜めの折線を設け、更に、前記右側壁の上側の左右端部に、折線を介して差込片を連設すると共に、該差込片の上側に、切取り線を介して該差込片間に跨るメッセージ表示片を連設し、該メッセージ表示片の下辺中央部に下辺に交差する平行な二本の切り欠きを設けたことを特徴とする陳列スタンドに変形可能な梱包箱、及び、横長長方形の左側壁の左側に、折線を介して該左側壁より長い前壁を連設すると共に、前記左側壁の右側に、折線を介して前記前壁と同じ長さの後壁と、前記左側壁と同じ長さの右側壁と、貼着片とを順に連設し、前記左側壁と右側壁の下側に、折線を介して該左側壁と右側壁の幅の略２倍の幅の内部底壁を連設する一方、前記前壁と後壁の下側に、折線を介して前記左側壁と右側壁の長さの１／２の幅の外部底壁を連設し、前記前壁と後壁の上側に、折線を介して該前壁と後壁と同大の蓋部を連設すると共に、該蓋部の上側に、中央部に切込みを設けた折線を介して補強片を連設し、更に、前記左側壁の上側に、折線を介して該左側壁の幅の１／２の幅の台座前壁と、前記左側壁と内部底壁の幅を合計した幅の台座底壁と、左右両側に折線を介して差込片を連設した台座後壁とを順に連設し、前記台座底壁の左右両側に、折線を介して底辺を台座底壁側とする三角形状をなし、下側の辺に差込片を形成すると共に上側の辺に、中央部に切込みを設けた折線を介して折曲補強片を連設した台座側壁を連設し、更に、前記右側壁に、中央部における左右両側から該右側壁の幅に相当する位置に、全幅に亘る幅方向の切込みを設けると共に、右側壁の左右両側の上側角部から前記切込みの下端にかけて斜めの折線を設け、更に、前記右側壁の上側の左右端部に、折線を介して差込片を連設すると共に、該差込片の下側間に、これらに連なり且つ前記右側壁の上側に連続する幅狭の延長辺部を設け、該延長辺部における前記右側壁の幅方向の切込みの延長線上に切取り線を設け、更に、前記差込片の上側に、切取り線を介して該差込片間に跨るメッセージ表示片を連設し、該メッセージ表示片の下辺中央部に下辺に交差する平行な二本の切り欠きを設けたことを特徴とする陳列スタンドに変形可能な梱包箱にある。
【発明の効果】
【０００６】
本発明は上記の如き構成であるから、配送時には組み立てて梱包箱として用いることができると共に、到着後においては受け取った者がこれを内容物の陳列スタンドに変形して使用することができるものである。したがって、梱包箱と陳列スタンドを別々に製作する必要がないから、その分コストを削減することができると共に、省資源にも資するものである。また、梱包箱を開封して内容物を取り出した後において当該梱包箱を陳列スタンドに変形する際にも、手際よくスムーズに行うことができるものである。
【０００７】
加えて、本発明の梱包箱にあっては、到着後受け取った者が陳列スタンドに変形するときに、表面を内側に折り込み、裏面側を表に折り返すものであるから、万一輸送時に表面に生じた汚れやへこみ等があったとしても陳列スタンドに変形したとき、これが全て陳列スタンドの内面に位置することとなり、意匠的にこれが目障りとなることがない。また、梱包箱のデザインも輸送中と陳列スタンドに変形した後とで変化させることができることとなるから、美的にも種々のデザインを採用することができるものである。
【図面の簡単な説明】
【０００８】
【図１】本発明の実施形態に係る陳列スタンドに変形可能な梱包箱の展開平面図である。
【図２】同組み立て過程を示す斜視図であり、梱包箱として組み立てる途中の状態を示すものである。
【図３】同組み立てた梱包箱に広告紙葉類を収容し、被蓋する過程を示す斜視図である。
【図４】同組み立てた梱包箱に広告紙葉類を収容し、被蓋する過程を示す斜視図であり、広告紙葉類の上に折り畳んだスタンド形成用部分を被せ、その外側に蓋を被せる状態を示すものである。
【図５】同梱包テープで封止し、送り状を貼付した状態の斜視図である。
【図６】同開封して広告紙葉類を取り出す状態の斜視図である。
【図７】同開封して広告紙葉類を取り出した状態の向きを変えて示した斜視図である。
【図８】同陳列スタンドに変形する過程を示す斜視図であり、メッセージ表示片を切り離した状態を示すものである。
【図９】同差込片を前壁と後壁の夫々の外面に重なるように折り曲げる状態を示すものである。
【図１０】同台座を組み立てる過程を示す斜視図である。
【図１１】同台座を組み立てた状態の斜視図である。
【図１２】同陳列スタンドに組み立てた状態の斜視図である。
【図１３】本発明の実施形態に係る陳列スタンドに変形可能な梱包箱の変形例の展開平面図である。
【図１４】同陳列スタンドに変形する過程の一部を示す斜視図であり、メッセージ表示片を切り離した状態を示すものである。
【発明を実施するための形態】
【０００９】
以下、本発明を実施するための形態について、図面を参照して説明する。
【００１０】
本発明は、一枚の厚紙を図１に示す展開平面図の形状に裁断して組み立てるものである。
【００１１】
而して、本実施形態に係る陳列スタンドに変形可能な梱包箱は、横長長方形の左側壁１の左側に、折線２′を介して該左側壁１より長い前壁２を連設すると共に、前記左側壁１の右側に、折線３′、４′、５′を介して前記前壁２と同じ長さの後壁３と、前記左側壁１と同じ長さの右側壁４と、貼着片５とを順に連設し、前記左側壁１と右側壁４の下側に、折線６′、７′を介して該左側壁１と右側壁４の幅Ｗの略２倍の幅の内部底壁６、７を連設する一方、前記前壁２と後壁３の下側に、折線８′、９′を介して前記左側壁１と右側壁４の長さＬの１／２の幅の外部底壁８、９を連設し、前記前壁２と後壁３の上側に、折線１０′、１１′を介して該前壁２と後壁３と同大の蓋部１０、１１を連設すると共に、該蓋部１０、１１の上側に、中央部に切込み１２ａ、１３ａを設けた折線１２′、１３′を介して補強片１２、１３を連設し、更に、前記左側壁１の上側に、折線１４′、１５′、１６′を介して該左側壁１の幅の１／２の幅の台座前壁１４と、前記左側壁１と内部底壁６の幅を合計した幅の台座底壁１５と、左右両側に折線１７′、１７′を介して差込片１７、１７を連設した台座後壁１６とを順に連設し、前記台座底壁１５の左右両側に、折線１８′、１９′を介して底辺を台座底壁１５側とする三角形状をなし、下側の辺に差込片２０、２１を形成すると共に上側の辺に、中央部に切込み２２ａ、２３ａを設けた折線２２′、２３′を介して折曲補強片２２、２３を連設した台座側壁１８、１９を連設し、更に、前記右側壁４に、中央部における左右両側から該右側壁４の幅に相当する位置に、上端側を僅かに残して前記内部底壁７側から幅方向の切込み２４、２５を設け、該切込み２４、２５の延長線上に切取り線２６、２７を設けると共に、両切込み２４、２５の上端部を結ぶ切込み２８を設け、更に右側壁４の左右両側の上側角部から前記切込み２４、２５の下端にかけて斜めの折線２９、３０を設け、更に、前記右側壁４の上側の左右端部に、折線３１′、３２′を介して差込片３１，３２を連設すると共に、該差込片３１、３２の上側に、切取り線３３′、３４′を介して該差込片３１、３２間に跨るメッセージ表示片３３を連設し、該メッセージ表示片３３の下辺中央部に下辺に交差する平行な二本の切り欠き３３ａ、３３ｂを設けたものである。
【００１２】
次に、梱包箱に組み立てる順序について説明する。
【００１３】
図１の展開状態から、先ず前壁２、左側壁１、後壁３、右側壁４の下側に夫々に連設する外部底壁８、内部底壁６、外部底壁９、内部底壁７を、折線８′、６′、９′、７′から直角に折り曲げる。
【００１４】
次に、前壁２、左側壁１、後壁３、右側壁４の上側に夫々連設する蓋部１０、台座前壁１４、蓋部１１、差込片３１、３２を、折線１０′、１４′、１１′、３１′、３２′から前記外部底壁８、内部底壁６、外部底壁９、内部底壁７と反対側に折り曲げる。
【００１５】
次に、前壁２と後壁３を夫々折線２′、３′から左側壁１と直角に同方向に折り曲げる。尚、その際において内部底壁６が外部底壁８、９の内側になるようにする。この状態は図２に示す通りである。
【００１６】
次に、右側壁４を左側壁１と対向するように折線４′から直角に折り曲げると共に、貼着片５を折線５′から直角に折り曲げて前壁２の内面に貼着する。これにより梱包箱が完成する。尚、貼着片５の前壁２の内面への貼着は、両面粘着テープ（図示せず。）を用いて行えば迅速に行うことができる。
【００１７】
そして、該梱包箱を用いて広告紙葉類を配送するときには、先ず、図３に示す如く、所定の枚数の広告紙葉類Ｐを詰め、そして右側壁４側の差込片３１、３２等を折線３１′、３２′から内側に折り曲げて該広告紙葉類Ｐに被せると共に、左側壁１側の台座前壁１４、台座底壁１５等も折線１４′から内側に折り曲げて広告紙葉類Ｐに被せるものである。また、この際において差込片１７、１７と台座側壁１８、１９は、いずれも折線１７′、１７′、１８′、１９′から内側に折り重ねるものである。尚、差込片１７、１７と台座側壁１８、１９とは、差込片１７、１７を上面側に折り重ね、台座側壁１８、１９は反対側に折り重ねている。図４はこの状態を示すものである。
【００１８】
次に、図４に示す如く、蓋部１０、１１を夫々折線１０′、１１′から内側に折り曲げて蓋をし、その後外部底壁８、９の合わせ目と蓋部１０、１１の合わせ目に夫々テープＴを貼って封をすると共に、送り状Ｌを添付して配送するものである。図５はこの状態を示すものである。
【００１９】
次に、梱包箱を受け取った者が、これを陳列スタンドとして用いるべく陳列スタンドに変形する順序について説明する。
【００２０】
先ず、前記と逆の順序によって蓋部１０、１１を開き、詰め込まれた広告紙葉類Ｐを取り出す。図６、図７はこの状態を示すものである。
【００２１】
次に、図８に示す如く、右側壁４の切取り線２６、２７部分を切断すると共に、切取り線３３′、３４′部分を切断する。
【００２２】
次に、右側壁４の左右両側を折線２９、３０から外側に折り返すと共に、更に該右側壁４に連設する差込片３１、３２を、夫々折線３１′、３２′から前壁２と後壁３の夫々の外面に重なるように折曲する。図９はこの過程を示すものである。そして、その後蓋部１０、１１を夫々折線１０′、１１′から外側に折り曲げて差込片３１、３２を挟むと共に、該蓋部１０、１１に連設した補強片１２、１３を、夫々折線１２′、１３′から折り曲げて外部底壁８、９の外面に重ねるものである。これにより陳列スタンドの上部側の形態は完成する。
【００２３】
次に、陳列スタンドの下部における台座部分を組み立てる順序について説明する。
【００２４】
先ず、台座前壁１４を折線１４′から外側に斜めに折り曲げると共に、台座底壁１５を折線１５′から略直角に後方側に折り曲げる。次に、台座側壁１８、１９を、夫々折線１８′、１９′から直角に折り曲げて起立させると共に、それらに形成した差込片２０、２１を、補強片１２、１３の折線１２′、１３′の中央部の切込み１２ａ、１３ａに差し込む。図１０はこの状態を示すものである。
【００２５】
そして、その後折曲補強片２２、２３を折線２２′、２３′から直角に内側に折り曲げて補強片１２、１３に当接させる。次に、台座後壁１６を折線１６′から上方に折り曲げて起立させ、差込片１７、１７を折線１７′、１７′から折り曲げて折曲補強片２２、２３の折線２２′、２３′の中央部の切込み２２ａ、２３ａに差し込むものである。図１１はこの状態を示すものである。そして、最後にメッセージ表示片３３を、切り欠き３３ａ、３３ｂを利用して上部に差し込めば全ての組み立てが完了するものである。図１２はこの状態を示すものである。
【００２６】
そして、このようにして組み立てた陳列スタンドに、詰め込まれて配送された内容物を収容するものである。尚、メッセージ表示片３３には、例えば、「○○○のご案内」等の如く、パンフレットやチラシ等の広告紙葉類の内容に関するメッセージを表示するものである。
【００２７】
本実施形態は上記の通りであり、配送時には組み立てて梱包箱として用いることができると共に、到着後においては受け取った者がこれを内容物の陳列スタンドに変形して使用することができるものである。したがって、梱包箱と陳列スタンドを別々に製作する必要がないから、その分コストを削減することができると共に、省資源に資するものである。また、梱包箱を開封して内容物を取り出した後において当該梱包箱を陳列スタンドに変形する際にも、手際よくスムーズに行うことができるものである。
【００２８】
次に、図１３に示した上記実施形態の変形例について説明する。
【００２９】
而して、該変形例に係る陳列スタンドに変形可能な梱包箱は、横長長方形の左側壁１の左側に、折線２′を介して該左側壁１より長い前壁２を連設すると共に、前記左側壁１の右側に、折線３′、４′、５′を介して前記前壁２と同じ長さの後壁３と、前記左側壁１と同じ長さの右側壁４と、貼着片５とを順に連設し、前記左側壁１と右側壁４の下側に、折線６′、７′を介して該左側壁１と右側壁４の幅Ｗの略２倍の幅の内部底壁６、７を連設する一方、前記前壁２と後壁３の下側に、折線８′、９′を介して前記左側壁１と右側壁４の長さＬの１／２の幅の外部底壁８、９を連設し、前記前壁２と後壁３の上側に、折線１０′、１１′を介して該前壁２と後壁３と同大の蓋部１０、１１を連設すると共に、該蓋部１０、１１の上側に、中央部に切込み１２ａ、１３ａを設けた折線１２′、１３′を介して補強片１２、１３を連設し、更に、前記左側壁１の上側に、折線１４′、１５′、１６′を介して該左側壁１の幅の１／２の幅の台座前壁１４と、前記左側壁１と内部底壁６の幅を合計した幅の台座底壁１５と、左右両側に折線１７′、１７′を介して差込片１７、１７を連設した台座後壁１６とを順に連設し、前記台座底壁１５の左右両側に、折線１８′、１９′を介して底辺を台座底壁１５側とする三角形状をなし、下側の辺に差込片２０、２１を形成すると共に上側の辺に、中央部に切込み２２ａ、２３ａを設けた折線２２′、２３′を介して折曲補強片２２、２３を連設した台座側壁１８、１９を連設し、更に、前記右側壁４に、中央部における左右両側から該右側壁４の幅に相当する位置に、全幅に亘る幅方向の切込み２４′、２５′を設けると共に、右側壁４の左右両側の上側角部から前記切込み２４′、２５′の下端にかけて斜めの折線２９、３０を設け、更に、前記右側壁４の上側の左右端部に、折線３１′、３２′を介して差込片３１、３２を連設すると共に、該差込片３１、３２の下側間に、これらに連なり且つ前記右側壁４の上側に連続する幅狭の延長辺部４′を設け、該延長辺部４′における前記右側壁４の幅方向の切込み２４′、２５′の延長線上に切取り線２６′、２７′を設け、更に、前記差込片３１、３２の上側に、切取り線３３′、３４′を介して該差込片３１、３２間に跨るメッセージ表示片３３を連設し、該メッセージ表示片３３の下辺中央部に下辺に交差する平行な二本の切り欠き３３ａ、３３ｂを設けたものである。
【００３０】
該変形例の場合にあっては、梱包箱を受け取った者が、これを陳列スタンドとして用いるべく陳列スタンドに変形する際の順序において一部異なるものである。
【００３１】
即ち、先ず、陳列スタンドの上部側の形態を作るが、図６及び図７に示す如く、蓋１０、１１を開いて詰め込まれた広告紙葉類Ｐを取り出した後において、先ず、上記実施例においては、図８に示す如く、右側壁４の中央上側における切込み２４、２５の延長線上に設けた切取り線２６、２７部分を切断すると共に、差込片３１、３２とメッセージ表示片３３間の切取り線３３′、３４′部分を切断するものであるのに対して、該変形例においては、図１４に示す如く、差込片３１、３２の下側間に設けた、これらに連なり且つ右側壁４の上側に連続する幅狭の延長辺部４′の切取り線２６′、２７′部分を切断すると共に、差込片３１、３２とメッセージ表示片３３間の切取り線３３′、３４′部分を切断するものである。尚、その後の組み立て順序は、上記実施例と同様である。そしてまた、その効果においても上記実施例と同様である。
【符号の説明】
【００３２】
１  左側壁
２  前壁
３  後壁
４  右側壁
４′  延長辺部
５  貼着片
６  内部底壁
７  内部底壁
８  外部底壁
９  外部底壁
１０  蓋部
１１  蓋部
１２  補強片
１３  補強片
１４  台座前壁
１５  台座底壁
１６  台座後壁
１７、１７  差込片
１８  台座側壁
１９  台座側壁
２０  差込片
２１  差込片
２２  折曲補強片
２３  折曲補強片
２４、２５  切込み
２４′、２５′  切込み
２６、２７  切取り線
２６′、２７′  切取り線
２８  切込み
２９、３０  折線
３１、３２  差込片
３３  メッセージ表示片
【要約】      （修正有）【課題】配送時には組み立てて梱包箱として用いることができ、到着後においては内容物の陳列スタンドに変形可能な梱包箱を提供する。【解決手段】左側壁１、前壁２、後壁３と、右側壁４、貼着片５とを連設し、その下側に、内部底壁６、７、外部底壁８、９を連設し、上側に蓋部１０、１１を連設し、その上側に、補強片１２、１３を連設すると共に、台座前壁１４と、台座底壁１５と、台座後壁１６とを連設し、台座底壁１５の左右両側に、三角形状の台座側壁１８、１９を連設し、右側壁４に、内部底壁７側から幅方向の切込み２４、２５、切取り線２６、２７を設けると共に、切込み２８を設け、更に、左右両側に外側角部から切込み２４、２５の下端にかけて斜めの折線２９、３０を設け、右側壁４の上側の左右端部に、差込片３１、３２を連設すると共に、差込片３１、３２の上側に、差込片３１、３２間に跨るメッセージ表示片３３を連設する。【選択図】図１【図１】
0006864426.tif 000002
【図２】
0006864426.tif 000003
【図３】
0006864426.tif 000004
【図４】
0006864426.tif 000005
【図５】
0006864426.tif 000006
【図６】
0006864426.tif 000007
【図７】
0006864426.tif 000008
【図８】
0006864426.tif 000009
【図９】
0006864426.tif 000010
【図１０】
0006864426.tif 000011
【図１１】
0006864426.tif 000012
【図１２】
0006864426.tif 000013
【図１３】
0006864426.tif 000014
【図１４】
0006864426.tif 000015